(57)【要約】【課題】カプセル型医療装置を飲み込むための条件（流体の量など）を一定にし、被検者が寝た状態でも容易に飲み込むことができるカプセル型医療装置導入補助具を実現する。【解決手段】カプセル型医療装置導入補助具１は、カプセル型医療装置２を体腔内へ導入する補助具である。カプセル型医療装置導入補助具１は、カプセル型医療装置２を飲み込むための流体３を収納する収納部１１と、この収納部１１に連通して設け、先端側にカプセル型医療装置２を着脱自在に取り付けて収納部１１に収納されている流体３と共に、カプセル型医療装置２を射出可能な装着部１２と、を有して構成されている。更に好ましくは、カプセル型医療装置導入補助具１は、装着部１２と収納部１１との間に、装着部１２を口腔内へ導入するための口腔内導入部１３が設けられる。【選択図】図１
2005110876.tif 000002
【特許請求の範囲】
【請求項１】
カプセル型医療装置を体腔内へ導入する補助具であって、
前記カプセル型医療装置を飲み込むための流体を収納する収納部と、
前記収納部に連通して設け、先端側に前記カプセル型医療装置を着脱自在に取り付けて前記収納部に収納されている前記流体と共に、前記カプセル型医療装置を射出可能な装着部と、
を具備したことを特徴とするカプセル型医療装置導入補助具。
【請求項２】
前記装着部と前記収納部との間に、前記装着部を口腔内へ導入するための口腔内導入部を設けたことを特徴とする請求項１に記載のカプセル型医療装置導入補助具。
【請求項３】
前記収納部に前記装着部を着脱自在に設けたことを特徴とする請求項１に記載のカプセル型医療装置導入補助具。
【発明の詳細な説明】
【技術分野】
【０００１】
本発明は、生体内などを検査するカプセル型医療装置を体腔内へ導入するためのカプセル型医療装置導入補助具に関する。
【背景技術】
【０００２】
近年、カプセル型医療装置は、医療用分野において使用される状況になって来ている。このカプセル型医療装置は、内視鏡における細長な挿入部を必要とせず、患者が飲み込み易いように形成されている。
【０００３】
従来のカプセル型医療装置は、例えば、ＰＣＴ ＷＯ０１／３５８１３ Ａ１号公報に記載されているように予め収納パッケージに収納されており、使用する直前にこの収納パッケージから取り出して用いられるようになっている。
【特許文献１】ＰＣＴ ＷＯ０１／３５８１３ Ａ１号公報
【発明の開示】
【発明が解決しようとする課題】
【０００４】
しかしながら、上記ＰＣＴ ＷＯ０１／３５８１３ Ａ１号公報に記載のカプセル型医療装置は、どのようにして体腔内に導入するかに関して言及されていない。  
通常、被検者が立った状態又は座った状態など上半身を起こした状態において、被験者は、先ず、カプセル型医療装置を口に含み、コップに入れた水と共に嚥下することで、カプセル型医療装置を体内に取り込む。
【０００５】
この上半身を起こした状態において、体内に取り込まれたカプセル型医療装置は、重力の影響により、飲み込んだ水と共に食道や胃などの体腔内管腔を速く通過してしまう。この場合、カプセル型医療装置は、蠕動運動によりゆっくりと体腔内管腔を通過させて観察画像を得たり、薬剤散布や治療処置等を行うことが困難である。また、砂漠や密林などの地域や地震や火事などの災害時によっては、カプセル型医療装置を飲み込むための清浄な水を確保できない場合がある。
【０００６】
さらに、また、被験者が寝ている状態において、コップに入れた水と共にカプセル型医療装置を嚥下することは困難である。この場合、被験者は、コップに入れた水をこぼしたり、むせてしまい、カプセル型医療装置を水と共に飲み込むことは困難である。
【０００７】
本発明は、上記事情に鑑みてなされたもので、カプセル型医療装置を飲み込むための条件（流体の量など）を一定にし、被検者が寝た状態でも容易に飲み込むことができるカプセル型医療装置導入補助具を提供することを目的とする。
【課題を解決するための手段】
【０００８】
本発明による第１のカプセル型医療装置導入補助具は、カプセル型医療装置を体腔内へ導入する補助具であって、前記カプセル型医療装置を飲み込むための流体を収納する収納部と、前記収納部に連通して設け、先端側に前記カプセル型医療装置を着脱自在に取り付けて前記収納部に収納されている前記流体と共に、前記カプセル型医療装置を射出可能な装着部と、を具備したことを特徴としている。  
本発明による第２のカプセル型医療装置導入補助具は、前記第１のカプセル型医療装置導入補助具において、前記装着部と前記収納部との間に、前記装着部を口腔内へ導入するための口腔内導入部を設けたことを特徴としている。  
本発明による第３のカプセル型医療装置導入補助具は、前記第１のカプセル型医療装置導入補助具において、前記収納部に前記装着部を着脱自在に設けたことを特徴としている。
【発明の効果】
【０００９】
本発明のカプセル型医療装置導入補助具は、カプセル型医療装置を飲み込むための条件（流体の量など）を一定にし、被検者が寝た状態でも容易に飲み込むことができるという効果を有する。
【発明を実施するための最良の形態】
【００１０】
以下、図面を参照して本発明の実施例を説明する。
【実施例１】
【００１１】
図１ないし図５は本発明の第１実施例に係わり、図１は第１実施例のカプセル型医療装置導入補助具を示す説明図、図２はカプセル型医療装置の観察方向が射出方向と逆向きとなるように取り付けた際の装着部付近の説明図、図３はカプセル型医療装置を射出する際の様子を示す装着部付近の説明図、図４は第１の変形例を示すカプセル型医療装置導入補助具の装着部付近の説明図、図５は第２の変形例を示すカプセル型医療装置導入補助具の構成図である。
【００１２】
図１に示すように本発明の第１実施例のカプセル型医療装置導入補助具（以下、単に導入補助具）１は、被験者が寝ている状態において、カプセル型医療装置２を被験者の体腔内へ導入する補助具である。
【００１３】
前記カプセル型医療装置２は、被検者の口腔から飲み込まれることにより体腔内管路を通過し、体腔内管路内壁面を例えば、光学的に撮像して画像データを得るようになっている。なお、カプセル型医療装置２は、図示しない体外ユニットへの無線通信により画像データを得るか又は体腔内から回収されて画像データを得るようになっている。
【００１４】
前記導入補助具１は、前記カプセル型医療装置２を飲み込むための流体３を収納する収納部１１と、この収納部１１に連通して設け、先端側に前記カプセル型医療装置２を着脱自在に取り付けて前記収納部１１に収納されている前記流体３と共に、前記カプセル型医療装置２を射出可能な装着部１２と、を有して構成されている。なお、前記導入補助具１は、前記装着部１２と前記収納部１１との間に、前記装着部１２を口腔内へ導入するための口腔内導入部１３が設けられている。
【００１５】
前記収納部１１は、ゴムなどの軟性部材により形成され、気密状態を保ちながら内部に前記流体３を３０ｃｃ〜５０ｃｃ程度の所定量収納するようになっている。前記収納部１１に収納する流体３としては、粘液除去・消泡効果を有するガスコン水，ミネラル水などの液体や空気などの気体、ゼリーなどのゲル状物質などがある。
【００１６】
前記収納部１１は、後端側を握りつぶす（圧縮する）ことにより、内部に収納している流体３が装着部１２側へ流動（移動）し、装着部１２に着脱自在に装着した前記カプセル型医療装置２を前方へ押し出して射出する方向の所定の力が生じるように前記軟性部材が厚く形成されている。
【００１７】
前記装着部１２は、変形しないように前記軟性部材により厚く形成され、先端部が更に厚く形成されている。前記装着部１２の先端部は、前記カプセル型医療装置２を容易に嵌め込むことが可能であり、嵌め込んだカプセル型医療装置２を保持し、且つ前記収納部１１に収納している流体３が漏れないように所定の保持力を有している。
【００１８】
そして、前記装着部１２は、前記収納部１１から流体３が流動（移動）して流入し、前記収納部１１から伝達された力が保持力に抗して前記カプセル型医療装置２に作用する。すると、前記装着部１２は、前記カプセル型医療装置２の保持が外れ、カプセル型医療装置２を流体３と共に前方へ射出するようになっている。
【００１９】
なお、前記装着部１２は、咽頭付近の内壁に前記カプセル型医療装置２が急激に接触する（激しく当接する）ほどではなく、前記カプセル型医療装置２を飲み込み易いほどの所定の射出力となるように保持力が調整されている。
【００２０】
前記口腔内導入部１３は、変形しないように前記軟性部材により厚く形成され、前記装着部１２を口腔内に導入可能な長さとなっている。この口腔内導入部１３の長さは、前記装着部１２が咽頭付近まで挿入された際に、前記収納部１１が口腔外部に配置されるように、少なくとも口腔内部よりも長く形成されている。なお、口腔の長さは、被験者の年代や性別、個人差により異なる。このため、前記導入補助具１は、例えば、Ｓ，Ｍ，Ｌなどサイズにより異なる長さの口腔内導入部１３を備えた補助具がラインナップされている。
【００２１】
従って、前記導入補助具１は、前記口腔内導入部１３により前記収納部１１を口腔外部より配置できるので、前記収納部１１を握りつぶす（圧縮する）操作がし易くなっている。また、前記導入補助具１は、咽頭付近において前記カプセル型医療装置２を射出できるので、前記カプセル型医療装置２の射出方向がより定まり、前記カプセル型医療装置２に余計な回転が加わらないようになっている。
【００２２】
なお、前記導入補助具１は、前記収納部１１と、前記装着部１２と、前記口腔内導入部１３とが一体的に構成されている。また、図１中において、前記カプセル型医療装置２は、観察方向が射出方向を向くように前記装着部１２に取り付けられているがそれとは逆に図２に示すように観察方向が射出方向と逆向きになるようにカプセル型医療装置２を前記装着部１２に取り付けてもよい。
【００２３】
このように構成されている導入補助具１は、例えば、前記収納部１１に前記流体３を収納した後、前記カプセル型医療装置２を着脱自在に嵌め込んだ状態においてパッケージされて保持されるようになっている。このとき、導入補助具１は、上述したように装着部１２の先端部にカプセル型医療装置２を容易に嵌め込むことが可能であり、嵌め込んだカプセル型医療装置２が所定の保持力により保持され、且つ収納部１１に収納している流体３が漏れない。  
そして、導入補助具１は、カプセル型医療装置２を使用する際に、パッケージから解放されて寝ている状態の被験者に対して用いられる。
【００２４】
ここで、従来は、砂漠や密林などの地域や地震や火事などの災害時によっては、カプセル型医療装置を飲み込むための清浄な水を確保できない場合がある。しかしながら、本実施例の導入補助具１は、予めカプセル型医療装置２を飲み込むための流体３が収納部１１に収納されており、この収納部１１を握りつぶす（圧縮する）ことで流体３と共にカプセル型医療装置２を飲み込むことが容易である。
【００２５】
導入補助具１は、寝ている状態の被験者の口腔内にカプセル型医療装置２を装着したままの装着部１２が挿入され、咽頭付近にまで導入される。このとき、導入補助具１は、上述したように装着部１２が咽頭付近まで挿入されても収納部１１が口腔外部に配置され、収納部１１が操作し易い。
【００２６】
そして、導入補助具１は、収納部１１を握りつぶす（圧縮する）操作が行われる。このとき、導入補助具１は、収納部１１の後端側を握りつぶす（圧縮する）ことにより、内部に収納している流体３が装着部１２側へ流動（移動）し、装着部１２に着脱自在に装着したカプセル型医療装置２を前方へ押し出して射出する方向の所定の力が生じる。
【００２７】
そして、導入補助具１は、収納部１１から所定の力により流体３が流動（移動）して口腔内導入部１３を介して装着部１２に流入する。このとき、導入補助具１は、上述したように口腔内導入部１３及び装着部１２が厚く形成されているので、これら口腔内導入部１３及び装着部１２の変形が起こらない。
【００２８】
そして、導入補助具１は、前記収納部１１から前記装着部１２に流動（移動）して流入してきた流体３が前記装着部１２の保持力に抗して前記カプセル型医療装置２に作用する。すると、導入補助具１は、前記カプセル型医療装置２の保持が外れ、図３に示すようにカプセル型医療装置２を流体３と共に前方へ射出する。このとき、前記カプセル型医療装置２は、咽頭付近において射出されるので、射出方向が定まり余計な回転が加わらない。
【００２９】
そして、カプセル型医療装置２は、被検者の口腔から飲み込まれることにより体腔内管路を通過し、体腔内管路内壁面を例えば、光学的に撮像して画像データを得る。  
このとき、被験者が寝ている状態であるので、カプセル型医療装置２は、食道や胃などの体腔内管腔を蠕動運動によりゆっくりと通過して所望の観察画像を得たり、薬剤散布や治療処置等を行うことが可能である。
【００３０】
この結果、本実施例の導入補助具１は、カプセル型医療装置を飲み込むための流体３を確保でき、カプセル型医療装置を飲み込むための条件（流体３の量など）を一定にし、被検者が寝た状態でも容易に飲み込むことができるという効果を得ることができる。
【００３１】
なお、導入補助具は、図４に示すように装着部を構成してもよい。  
図４に示すようにカプセル型医療装置２Ｂは、後端部に突起部２１が設けられている。一方、導入補助具１Ｂは、前記カプセル型医療装置２Ｂの突起部２１を嵌め込んで保持する小径の装着部１２Ｂが設けられている。これにより、前記導入補助具１Ｂは、前記装着部１２Ｂが前記カプセル型医療装置２Ｂの突起部２１のみを嵌め込んでいるので、前記カプセル型医療装置２Ｂの全周ではなく突起部２１のみに射出力がかかり、射出力を抑制することができる。  
従って、導入補助具１Ｂは、咽頭付近の内壁に前記カプセル型医療装置２Ｂが急激に接触することを十分に防止できる。
【００３２】
なお、導入補助具は、図５に示すように口腔内導入部を設けることなく構成してもよい。  
図５に示すように導入補助具１Ｃは、収納部１１と装着部１２とを有して構成されている。なお、前記導入補助具１Ｃは、前記収納部１１と、前記装着部１２とが一体的に構成されている。
【００３３】
従って、前記導入補助具１Ｃは、口腔入り口付近において、カプセル型医療装置２を流体３と共に前方へ射出するようになっている。それ以外の構成は、上記導入補助具１とほぼ同様なので説明を省略する。
【実施例２】
【００３４】
図６は本発明の第２実施例に係るカプセル型医療装置導入補助具を示す構成図である。  
上記第１実施例は前記収納部１１と、前記装着部１２と、前記口腔内導入部１３とが一体的に構成されているが、第２実施例は収納部にシリンジを用いて構成する。それ以外の構成は上記第１実施例と同様であるので説明を省略し、同一構成には同じ符号を付して説明する。
【００３５】
すなわち、図６に示すように第２実施例の導入補助具１Ｄは、収納部としてのシリンジ２２を装着部１２Ｄの後端部２３に着脱自在に取り付けて構成されている。  
前記装着部１２Ｄは、後端部２３が前記シリンジ２２の先端側に接続可能に開口して前記シリンジ２２の先端側細径部２２ａを容易に嵌め込むことが可能であり、嵌め込んだシリンジ２２の先端側細径部２２ａを保持し、且つ前記シリンジ２２に収納している流体３が漏れないように所定の保持力を有している。
【００３６】
一方、前記シリンジ２２は、前記装着部１２Ｄの後端部２３から外れないように前記先端側細径部２２ａの外周面にローレット加工を施している。前記シリンジ２２は、前記導入補助具１の収納部１１と同様に内部に３０ｃｃ〜５０ｃｃ程度の所定量の流体３を収納するようになっている。
【００３７】
このように構成されている第２実施例の導入補助具１Ｄは、前記シリンジ２２に前記流体３を収納した後、前記カプセル型医療装置２を着脱自在に嵌め込んだ前記装着部１２Ｄを前記シリンジ２２の先端側細径部２２ａに接続してパッケージ保持されるようになっている。
【００３８】
そして、導入補助具１Ｄは、カプセル型医療装置２を使用する際に、パッケージから解放されて寝ている状態の被験者に対して用いられる。  
導入補助具１Ｄは、寝ている状態の被験者の口腔内にカプセル型医療装置２を装着したままの装着部１２Ｄが挿入される。このとき、導入補助具１Ｄは、シリンジ２２が口腔外部に配置され、操作し易い。
【００３９】
そして、導入補助具１Ｄは、シリンジ２２のピストン２２ｂを操作される。すると、導入補助具１Ｄは、シリンジ２２内部に収納されている流体３が装着部１２Ｄ側へ流動（移動）し、装着部１２Ｄに着脱自在に装着したカプセル型医療装置２を前方へ押し出して射出する方向の所定の力が生じる。
【００４０】
そして、導入補助具１Ｄは、前記シリンジ２２から前記装着部１２Ｄに流動（移動）して流入してきた流体３が前記装着部１２Ｄの保持力に抗して前記カプセル型医療装置２に作用する。すると、導入補助具１Ｄは、前記カプセル型医療装置２の保持が外れ、カプセル型医療装置２を流体３と共に前方へ射出する。以降、カプセル型医療装置２の動作は、上記第１実施例と同様である。  
これにより、導入補助具１Ｄは、上記第１実施例と同様な効果を得ることができる。
【実施例３】
【００４１】
図７ないし図１０は本発明の第３実施例に係わり、図７は第３実施例のカプセル型医療装置導入補助具を示す構成図、図８は図７の連結部材及び収納部の構成を示す説明図、図９は図８の連結部材を収納部に接続してカプセル型医療装置を射出する際の様子を示す説明図、図１０は連結部材の変形例を示す説明図であり、図１０（Ａ）は変形例の連結部材の外観図、図１０（Ｂ）は図１０（Ａ）の断面図である。
【００４２】
上記第１実施例は前記収納部１１と、前記装着部１２と、前記口腔内導入部１３とが一体的に構成されているが、第３実施例は装着部を収納部に着脱自在に構成する。それ以外の構成は上記第１実施例と同様であるので説明を省略し、同一構成には同じ符号を付して説明する。
【００４３】
すなわち、図７に示すように第３実施例の導入補助具１Ｅは、前記装着部として収納部１１Ｅに着脱自在な連結部材２４が設けられている。  
図８に示すように前記連結部材２４は、前記カプセル型医療装置２を着脱自在に取り付ける取付部２５と、前記収納部１１Ｅに着脱自在な接続部２６とを有している。
【００４４】
前記接続部２６は、前記収納部１１Ｅに螺合する雌ねじ部２６ａが形成されている。前記接続部２６は、内部に形成されている連通路２７に、前記収納部１１Ｅの後述する薄肉部分を穿設するための穿設部２８が設けられている。
【００４５】
一方、前記収納部１１Ｅは、前記連結部材２４の雌ねじ部２６ａが螺合する雄ねじ部２９ａが先端側細径部２９の外表面に形成されており、内部に前記流体３を収納封止するための薄肉部分３０が設けられている。
【００４６】
そして、導入補助具１Ｅは、使用する直前に前記収納部１１Ｅの雄ねじ部２９ａに前記連結部材２４の雌ねじ部２６ａが螺合されることにより、前記連結部材２４が前記収納部１１Ｅに接続されると共に、前記連結部材２４の前記穿設部２８が前記収納部１１Ｅの前記薄肉部分３０を穿設することにより前記連結部材２４の連通路２７に前記流体３が流入されるようになっている。
【００４７】
このように構成されている第３実施例の導入補助具１Ｅは、前記流体３を収納封止した前記収納部１１Ｅと、前記カプセル型医療装置２を着脱自在に取り付けた前記連結部材２４とが個別にパッケージ保持されるようになっている。  
そして、導入補助具１Ｅは、カプセル型医療装置２を使用する際に、パッケージから解放されて寝ている状態の被験者に対して用いられる。
【００４８】
導入補助具１Ｅは、使用する直前に先ず、前記連結部材２４を前記収納部１１Ｅに接続される。すると、導入補助具１Ｅは、上述したように前記連結部材２４の前記穿設部２８が前記収納部１１Ｅの前記薄肉部分３０を穿設することにより前記連結部材２４の連通路２７に前記流体３が流入される。
【００４９】
そして、この連結部材２４を前記収納部１１Ｅに接続した状態において、導入補助具１Ｄは、寝ている状態の被験者の口腔内にカプセル型医療装置２を装着したままの連結部材２４が挿入される。
【００５０】
そして、導入補助具１Ｅは、上記第１実施例で説明したのと同様に前記収納部１１Ｅの後端側を握りつぶす（圧縮する）ことにより、内部に収納している流体３が連結部材２４側へ流動（移動）し、図９に示すように連結部材２４に着脱自在に装着したカプセル型医療装置２を前方へ押し出して射出する。以降、カプセル型医療装置２の動作は、上記第１実施例と同様である。
【００５１】
これにより、第３実施例の導入補助具１Ｅは、上記第１実施例と同様な効果を得ることに加え、使用する直前まで前記流体３が封止されるので、流体３の経時変化がない。
【００５２】
なお、連結部材は、図１０（Ａ），（Ｂ）に示すように構成してもよい。  
図１０（Ａ），（Ｂ）に示すように連結部材２４Ｂは、カプセル型医療装置２Ｆの図示しない内部スイッチを抑制するためのスイッチ抑制部として磁石３１を内蔵している。  
これにより、前記連結部材２４Ｂは、前記カプセル型医療装置２Ｆが射出される直前まで、このカプセル型医療装置２Ｆの内蔵スイッチの作動を抑制することが可能となる。
【００５３】
なお、本発明は、以上述べた実施例のみに限定されるものではなく、発明の要旨を逸脱しない範囲で種々変形実施可能である。
【００５４】
［付記］
（付記項１）
カプセル型医療装置を体腔内へ導入する補助具であって、
前記カプセル型医療装置を飲み込むための流体を収納する収納部と、
前記収納部に連通して設け、先端側に前記カプセル型医療装置を着脱自在に取り付けて前記収納部に収納されている前記流体と共に、前記カプセル型医療装置を射出可能な装着部と、
を具備したことを特徴とするカプセル型医療装置導入補助具。
【００５５】
（付記項２）
前記装着部と前記収納部との間に、前記装着部を口腔内へ導入するための口腔内導入部を設けたことを特徴とする付記項１に記載のカプセル型医療装置導入補助具。  
（付記項３）
前記収納部に前記装着部を着脱自在に設けたことを特徴とする付記項１に記載のカプセル型医療装置導入補助具。
【００５６】
（付記項４）
前記収納部に収納される前記流体は、液体又は気体若しくはゲル状物質であることを特徴とする付記項１に記載のカプセル型医療装置導入補助具。  
（付記項５）
前記カプセル型医療装置に設けたスイッチの作動を抑制するためのスイッチ抑制部を設けたことを特徴とする付記項１に記載のカプセル型医療装置導入補助具。
【００５７】
（付記項６）
前記装着部は、前記カプセル型医療装置の後端部に設けられた突起部を着脱自在に嵌め込んで保持する小径部を設けたことを特徴とする付記項１に記載のカプセル型医療装置導入補助具。
【００５８】
（付記項７）
前記カプセル型医療装置を前記装着部に着脱自在に取り付けて前記装着部を前記口腔内に差し入れ、前記収納部を圧縮することにより前記装着部から前記流体と共に前記カプセル型医療装置を射出することを特徴とする付記項１に記載のカプセル型医療装置導入補助具。
【００５９】
（付記項８）
前記収納部は、軟性部材により形成し、この軟性部材を圧縮することにより内部に収納している流体を前記装着部側へ押し出してこの装着部から前記カプセル型医療装置を前記流体と共に射出することを特徴とする付記項１に記載のカプセル型医療装置導入補助具。
【００６０】
（付記項９）
前記収納部は、前記流体を収納可能なシリンジを用いたことを特徴とする付記項３に記載のカプセル型医療装置導入補助具。  
（付記項１０）
前記装着部は、前記収納部に着脱自在な連結部材を用いたことを特徴とする付記項３に記載のカプセル型医療装置導入補助具。
【００６１】
（付記項１１）
前記カプセル型医療装置に設けたスイッチの作動を抑制するためのスイッチ抑制部は、前記装着部に設けた磁石であることを特徴とする付記項５に記載のカプセル型医療装置導入補助具。  
（付記項１２）
前記連結部材は、前記カプセル型医療装置を着脱自在に取り付ける取付部と、前記収納部に着脱自在な接続部とを有したことを特徴とする付記項１０に記載のカプセル型医療装置導入補助具。
【００６２】
（付記項１３）
前記収納部は、前記流体を収納封止するための薄肉部分を設け、
前記連結部材は、前記収納部に着脱自在に取り付ける際に、前記収納部に形成した薄肉部分を穿設する穿設部を設けた
ことを特徴とする付記項１２に記載のカプセル型医療装置導入補助具。
【００６３】
（付記項１４）
カプセル型医療装置を体腔内へ導入する補助具であって、
前記カプセル型医療装置を飲み込むための流体を収納する収納部と、
前記収納部に連通して設け、先端側に前記カプセル型医療装置を着脱自在に取り付けて前記収納部に収納されている前記流体と共に、前記カプセル型医療装置を射出可能な装着部と、
前記装着部と前記収納部との間に設け、前記装着部を口腔内へ導入するための口腔内導入部と、
を具備したことを特徴とするカプセル型医療装置導入補助具。
【００６４】
（付記項１５）
カプセル型医療装置を体腔内へ導入する補助具であって、
気密状態を保ちながら内部に流体を収納する収納部と、
前記収納部に連通して設け、先端側に前記カプセル型医療装置を着脱自在に取り付けて前記収納部に収納されている前記流体と共に、前記カプセル型医療装置を射出可能な装着部と、
を具備したことを特徴とするカプセル型医療装置導入補助具。
【００６５】
（付記項１６）
前記カプセル型医療装置を前記装着部に着脱自在に取り付けて前記口腔内導入部を前記口腔内に差し入れ、前記収納部を圧縮操作することにより前記装着部から前記流体と共に前記カプセル型医療装置を射出することを特徴とする付記項１４又は１５に記載のカプセル型医療装置導入補助具。
【図面の簡単な説明】
【００６６】
【図１】第１実施例のカプセル型医療装置導入補助具を示す説明図である。
【図２】カプセル型医療装置の観察方向が射出方向と逆向きとなるように取り付けた際の装着部付近の説明図である。
【図３】カプセル型医療装置を射出する際の様子を示す装着部付近の説明図である。
【図４】第１の変形例を示すカプセル型医療装置導入補助具の装着部付近の説明図である。
【図５】第２の変形例を示すカプセル型医療装置導入補助具の構成図である。
【図６】第２実施例に係るカプセル型医療装置導入補助具を示す構成図である。
【図７】第３実施例のカプセル型医療装置導入補助具を示す構成図である。
【図８】図７の連結部材及び収納部の構成を示す説明図である。
【図９】図８の連結部材を収納部に接続してカプセル型医療装置を射出する際の様子を示す説明図である。
【図１０】連結部材の変形例を示す説明図である。
【符号の説明】
【００６７】
１  カプセル型医療装置導入補助具
２  カプセル型医療装置
３  流体
１１  収納部
１２  装着部
１３  口腔内導入部
代理人    弁理士    伊藤  進
【図１】
2005110876.tif 000003
【図２】
2005110876.tif 000004
【図３】
2005110876.tif 000005
【図４】
2005110876.tif 000006
【図５】
2005110876.tif 000007
【図６】
2005110876.tif 000008
【図７】
2005110876.tif 000009
【図８】
2005110876.tif 000010
【図９】
2005110876.tif 000011
【図１０】
2005110876.tif 000012